(57)【要約】【課題】  低コストで効率的なローミングサービスを実現することができ、また、情報漏洩のおそれがないローミング方法及び無線通信システム及び移動機を提供することを目的とする。【解決手段】  移動機が契約事業者の無線通信サービスエリア外で他事業者の無線通信システムを使用して契約事業者の無線通信サービスエリア内と同様のサービスを受けるローミング方法であって、契約事業者は前記他事業者から貸借ＩＤを借用し、移動機は契約事業者における正規加入者識別ＩＤと前記貸借ＩＤを格納し、移動機は契約事業者の無線通信サービスエリア内では正規加入者識別ＩＤを用いて契約事業者と通信を行い、他事業者の無線通信サービスエリア内では貸借ＩＤを用いて他事業者と通信を行う。【選択図】    図１１
2006345343.tif 000002
【特許請求の範囲】
【請求項１】
移動機が契約事業者の無線通信サービスエリア外で他事業者の無線通信システムを使用して前記契約事業者の無線通信サービスエリア内と同様のサービスを受けるローミング方法であって、
前記契約事業者は前記他事業者から貸借ＩＤを借用し、
前記移動機は前記契約事業者における正規加入者識別ＩＤと前記貸借ＩＤを格納し、
前記移動機は前記契約事業者の無線通信サービスエリア内では前記正規加入者識別ＩＤを用いて前記契約事業者と通信を行い、前記他事業者の無線通信サービスエリア内では前記貸借ＩＤを用いて前記他事業者と通信を行うことを特徴とするローミング方法。
【請求項２】
請求項１記載のローミング方法において、
前記契約事業者は、移動機が使用中の貸借ＩＤと正規加入者識別ＩＤを対応させて記憶する借用ＩＤ情報記憶手段を有し、
前記他事業者は、移動機が使用中の貸借ＩＤと正規加入者識別ＩＤを対応させて記憶する貸与ＩＤ情報記憶手段を有し、
前記契約事業者と前記他事業者は、前記借用ＩＤ情報記憶手段と前記貸与ＩＤ情報記憶手段を同期して更新することを特徴とするローミング方法。
【請求項３】
移動機が契約事業者の無線通信サービスエリア外で他事業者の無線通信システムを使用して前記契約事業者の無線通信サービスエリア内と同様のサービスを受けるローミング方法に用いる契約事業者の無線通信システムであって、
移動機が使用中の貸借ＩＤと正規加入者識別ＩＤを対応させて記憶する借用ＩＤ情報記憶手段を
有することを特徴とする契約事業者の無線通信システム。
【請求項４】
移動機が契約事業者の無線通信サービスエリア外で他事業者の無線通信システムを使用して前記契約事業者の無線通信サービスエリア内と同様のサービスを受けるローミング方法に用いる他事業者の無線通信システムであって、
移動機が使用中の貸借ＩＤと正規加入者識別ＩＤを対応させて記憶する貸与ＩＤ情報記憶手段を
有することを特徴とする他事業者の無線通信システム。
【請求項５】
移動機が契約事業者の無線通信サービスエリア外で他事業者の無線通信システムを使用して前記契約事業者の無線通信サービスエリア内と同様のサービスを受けるローミング方法に用いる移動機であって、
前記契約事業者における正規加入者識別ＩＤの他に、前記契約事業者が前記他事業者から借用した貸借ＩＤを格納する貸借ＩＤ情報記憶手段を
有することを特徴とする移動機。
【発明の詳細な説明】
【技術分野】
【０００１】
本発明は、ローミング方法及び無線通信システム及び移動機に関し、特に、無線通信ネットワークにおける事業者間ローミングを行うローミング方法及び無線通信システム及び移動機に関する。
【背景技術】
【０００２】
近年、無線通信ネットワークの分野においては、ＩＭＴ−２０００（Ｉｎｔｅｒｎａｔｉｏｎａｌ  Ｍｏｂｉｌｅ  Ｔｅｌｅｃｏｍｍｕｎｉｃａｔｉｏｎｓ−２０００）による規格の標準化が進められており、海外ローミングなど世界規模のローミング方式の開発が行われている。
【０００３】
無線通信ネットワークの分野では、複数の事業者がそれぞれの通信システムによって各契約ユーザに対して無線通信サービスを提供している。また、いずれかの事業者と契約している移動機が契約事業者の無線通信サービスエリア外に出た場合であっても、他の事業者の無線通信システムを使用して契約事業者の無線通信サービスエリア内にいるのと同様のサービスを受けることができるローミングサービスも提供されている。
【０００４】
従来のローミング方法は、図１に示すように、事業者Ａの契約移動機ａがローミング先である事業者Ｂの無線通信サービスエリアで最初の位置登録を行う場合、移動機ａは事業者ＢのＶＬＲ（Ｖｉｓｉｔｏｒ  Ｌｏｃａｔｉｏｎ  Ｒｅｇｉｓｔｅｒ：在圏位置登録メモリ）２０に位置登録要求を行う。
【０００５】
事業者Ａは事業者Ｂの特定位置の交換機にＧＬＲ（Ｇａｔｅｗａｙ  Ｌｏｃａｔｉｏｎ  Ｒｅｇｉｓｔｅｒ：関門位置登録メモリ）２１を持っており、事業者Ｂの在圏ＶＬＲ２０は移動機ａの位置登録要求をＧＬＲ２１に行う。ＧＬＲ２１は在圏ＶＬＲ番号を保存し、事業者ＡのＨＬＲ（Ｈｏｍｅ  Ｌｏｃａｔｉｏｎ  Ｒｅｇｉｓｔｅｒ：ホーム位置登録メモリ）１１に位置登録要求を行う。
【０００６】
事業者ＡのＨＬＲ１１はＧＬＲ番号を保存し、移動機ａの加入者情報（加入者識別ＩＤ、認証コード等）をＧＬＲ２１に転送し、位置登録応答を返す。ＧＬＲ２１は事業者ＡのＨＬＲ１１から転送された移動機ａの加入者情報を保存して事業者Ｂの在圏ＶＬＲ２０にも転送し、位置登録応答を返す。事業者Ｂの在圏ＶＬＲ２０は移動機ａの加入者情報を保存し、移動機ａに位置登録応答を返す。
【０００７】
このようにＧＬＲ２１を導入することによって、図２に示すように、ローミング先の無線通信サービスエリア内でＶＬＲ２０，２２間の移動機ａの移動が発生した場合の位置登録においては、ＧＬＲ２１が擬似的に事業者ＡのＨＬＲのように働くため、事業者ＡのＨＬＲ１０との通信を行う必要が無く、網間信号の量を削減することができる（例えば非特許文献１参照）。
【０００８】
図３にローミング先でのユーザ認証の方法を示す。移動機ａが事業者Ｂの無線通信サービスエリア内において事業者Ｂの在圏ＶＬＲ２０に位置登録要求や発信要求を行う場合、移動機ａがローミングを許容されているかどうかの判断を行うための認証が行われる。
【０００９】
移動機ａが事業者Ａでの加入者識別ＩＤを付与してローミング要求を行うと、事業者Ｂの在圏ＶＬＲ２０は事業者ＡのＨＬＲ１１に対し移動機ａから通知された加入者識別ＩＤを付与して認証情報要求を行う。事業者ＡのＨＬＲ１１は認証情報応答で移動機ａ固有の認証情報をＧＬＲ２１に転送する。ＧＬＲ２１は認証情報を保存し、事業者Ｂの在圏ＶＬＲ２０にも転送する。事業者Ｂの在圏ＶＬＲ２０は認証情報を保存し、これを使用して移動機ａとの認証を行う。
【００１０】
なお、特許文献１には、通信事業者網は自通信事業者識別情報を含む報知情報を移動通信端末に送信する手段を備え、移動通信端末は通信事業者網から受信した通信事業者識別情報を格納する移動通信事業体識別子格納部を備えることが記載されている。
【００１１】
また、特許文献２には、移動機が事業者Ａの無線通信サービスエリアから事業者Ｂの無線通信サービスエリアに入ってローミングを要求したとき、事業者ＢのＨＬＲはローミング番号を割り当てて事業者ＡのＨＬＲに通知し、事業者ＢのＨＬＲはローミング番号により加入者情報、位置情報、課金情報を管理することが記載されている。
【非特許文献１】立川敬二監修、Ｗ−ＣＤＭＡ移動通信方式、丸善株式会社
【特許文献１】特開２０００−１２５３３２号公報
【特許文献２】特開平５−１４２７１号公報
【発明の開示】
【発明が解決しようとする課題】
【００１２】
従来のローミング方法では移動機がローミング先で位置登録を行った場合、通信に必要な加入者情報を契約事業者のＨＬＲ１１からローミング先のＧＬＲ２１に転送して、それ以降ローミング先網内での位置登録において移動機は契約事業者のＨＬＲ１１と通信を行う必要がなくなるため、海外における使用などローミング先網に滞在する時間が長い程、網間信号の削減の効果が高い。
【００１３】
しかし、異なる国の事業者同士などでない限り、各事業者がカバーする無線通信サービスエリアが重複している可能性が高い。その場合、各事業者の無線通信サービスエリア間を往来するユーザ数が多いことから従来のローミング方法の特長である網間信号を削減する効果は低い。
【００１４】
また、重複したエリアで既に投資した設備に無駄が生じることもあり、提供する無線通信サービスエリアが重複しているような事業者間でローミングを行う上での障壁になっている。
【００１５】
このように、事業者間ローミングの実現が見込めないような両事業者の無線通信サービスエリアを利用するには両事業者と契約するしかないため、ユーザには金銭的な不利が生じる上、それぞれの無線通信サービスエリアで発着信に使用する番号は異なったものになってしまうという問題があった。
【００１６】
それぞれの無線通信サービスエリアで発着信に使用する番号を同一とする手段としては、例えば特許文献２に記載の方法が挙げられる。この方法ではＧＬＲは使用せず、ローミング先事業者にローミング移動機の識別情報を転送し、ローミング先事業者がローミング移動機に対してローミング番号を割り当てて読み替えを行うことにより、自契約移動機と同じようにローミング移動機との通信を行うため、ユーザはローミング先事業者においても同一の番号を使用して発着信が行える。
【００１７】
しかし、この方法ではローミング先において認証を行うために特定ユーザの加入者識別ＩＤや認証コードをローミング先事業者に転送する必要があり、情報の漏洩などセキュリティ上の問題があった。
【００１８】
さらに、この方法ではユーザが自分の加入者識別ＩＤと括り付けでローミングの契約を行うため、ローミングサービスを利用するためにかかるユーザ一人当たりの金銭的負担は軽微ではないという問題があった。
【００１９】
本発明は、上記の点に鑑みなされたものであり、低コストで効率的なローミングサービスを実現することができ、また、情報漏洩のおそれがないローミング方法及び無線通信システム及び移動機を提供することを目的とする。
【課題を解決するための手段】
【００２０】
本発明は、移動機が契約事業者の無線通信サービスエリア外で他事業者の無線通信システムを使用して前記契約事業者の無線通信サービスエリア内と同様のサービスを受けるローミング方法であって、
前記契約事業者は前記他事業者から貸借ＩＤを借用し、
前記移動機は前記契約事業者における正規加入者識別ＩＤと前記貸借ＩＤを格納し、
前記移動機は前記契約事業者の無線通信サービスエリア内では前記正規加入者識別ＩＤを用いて前記契約事業者と通信を行い、前記他事業者の無線通信サービスエリア内では前記貸借ＩＤを用いて前記他事業者と通信を行うことにより、
低コストで効率的なローミングサービスを実現することができ、また、情報漏洩のおそれがない。
【００２１】
また、前記ローミング方法において、
前記契約事業者は、移動機が使用中の貸借ＩＤと正規加入者識別ＩＤを対応させて記憶する借用ＩＤ情報記憶手段を有し、
前記他事業者は、移動機が使用中の貸借ＩＤと正規加入者識別ＩＤを対応させて記憶する貸与ＩＤ情報記憶手段を有し、
前記契約事業者と前記他事業者は、前記借用ＩＤ情報記憶手段と前記貸与ＩＤ情報記憶手段を同期して更新することにより、
関門位置登録メモリを持つ必要がなくなり、低コストで効率的なローミングサービスを実現することができる。
【００２２】
本発明は、移動機が契約事業者の無線通信サービスエリア外で他事業者の無線通信システムを使用して前記契約事業者の無線通信サービスエリア内と同様のサービスを受けるローミング方法に用いる契約事業者の無線通信システムであって、
移動機が使用中の貸借ＩＤと正規加入者識別ＩＤを対応させて記憶する借用ＩＤ情報記憶手段を有する。
【００２３】
また、本発明は、移動機が契約事業者の無線通信サービスエリア外で他事業者の無線通信システムを使用して前記契約事業者の無線通信サービスエリア内と同様のサービスを受けるローミング方法に用いる他事業者の無線通信システムであって、
移動機が使用中の貸借ＩＤと正規加入者識別ＩＤを対応させて記憶する貸与ＩＤ情報記憶手を有する。
【００２４】
更に、本発明は、移動機が契約事業者の無線通信サービスエリア外で他事業者の無線通信システムを使用して前記契約事業者の無線通信サービスエリア内と同様のサービスを受けるローミング方法に用いる移動機であって、
前記契約事業者における正規加入者識別ＩＤの他に、前記契約事業者が前記他事業者から借用した貸借ＩＤを格納する貸借ＩＤ情報記憶手段を有する。
【発明の効果】
【００２５】
本発明によれば、低コストで効率的なローミングサービスを実現することができ、また、情報漏洩のおそれがない。
【発明を実施するための最良の形態】
【００２６】
以下、図面に基づいて本発明の実施形態について説明する。
【００２７】
＜ネットワーク構成＞
図４は、本発明方法を用いた無線通信ネットワークの一実施形態の構成図を示す。同図中、移動機３０は事業者Ａの契約移動機である。事業者ＡはＶＬＲ４０，ＨＬＲ４１を有し、事業者ＢはＶＬＲ５０，ＨＬＲ５１を有している。
【００２８】
ローミング元事業者（事業者Ａ）がローミング先事業者（事業者Ｂ）から貸借ＩＤとして事業者Ｂの加入者識別ＩＤと認証コードを複数借用する契約を結び、この貸借ＩＤを事業者Ａの契約移動機３０は内部の貸借ＩＤ情報メモリ３１に保持する。
【００２９】
移動機３０の貸借ＩＤ情報メモリ３１への情報保持に関しては、事業者Ａの無線通信サービスエリア内においての報知情報等による制御で行うことが可能であり、その他の手法を用いても良い。移動機３０は事業者Ａの無線通信サービスエリア内では正規加入者識別ＩＤ、事業者Ｂの無線通信サービスエリア内では貸借ＩＤに切り替えて各事業者Ａ，Ｂそれぞれと通信を行う。
【００３０】
事業者Ａ、事業者Ｂそれぞれは、どの移動機がどの貸借ＩＤを使用中であるかの情報を管理するために、事業者Ａは借用ＩＤ情報メモリ４２を持ち、事業者Ｂは貸与ＩＤ情報メモリ５２を持つ。このメモリ４２，５２を両事業者で同期して更新することにより、事業者Ａは事業者Ｂ側にＧＬＲを持つ必要がなく低コストでローミングサービスの実現が可能となる。
【００３１】
＜事業者Ａの借用ＩＤ情報メモリ＞
図５に借用ＩＤ情報メモリ４２の一実施形態の構成を示す。借用ＩＤ情報メモリ４２は貸借ＩＤを使用して事業者Ｂに位置登録された移動機３０の情報を管理するためのものであり、複数の貸借ＩＤについて、貸借ＩＤの借用元事業者コード、貸借ＩＤの加入者識別ＩＤ、貸借ＩＤの認証コードを、当該貸借ＩＤを現在使用している移動機の正規加入者識別ＩＤと対応させて登録し管理している。
【００３２】
このメモリ４２により、当該貸借ＩＤを現在使用しているのが移動機３０であり、事業者Ｂに位置登録されていることを認識できるため、移動機３０への着信情報を使用中の貸借ＩＤに変換して転送することが可能となる。また、ローミング契約を行った移動機３０の貸借ＩＤ情報メモリ３１に対し、貸借ＩＤの加入者情報を転送するためにも使用することができる。
【００３３】
＜事業者Ｂの貸与ＩＤ情報メモリ＞
図６に貸与ＩＤ情報メモリ５２の一実施形態の構成を示す。貸与ＩＤ情報メモリ５２は貸借ＩＤを使用して事業者Ｂに位置登録された移動機３０の情報を管理するためのものであり、複数の貸借ＩＤについて、貸借ＩＤの貸与先事業者コード、貸借ＩＤの加入者識別ＩＤを、当該貸借ＩＤを現在使用している移動機の正規加入者識別ＩＤと対応させて登録し管理している。
【００３４】
このメモリ５２により、当該貸借ＩＤを現在使用している移動機３０の正規加入者識別ＩＤを認識し、貸与先事業者コードから移動機３０が事業者Ｂに位置登録されていることを事業者Ａに通知することが可能となる。また、移動機が貸借ＩＤを使用して位置登録要求を通知してきた際、当該貸借ＩＤが使用中かどうかの判断を行うのにも使用できる。
【００３５】
＜移動機の貸与ＩＤ情報メモリ＞
図７に貸借ＩＤ情報メモリ３１の一実施形態の構成を示す。貸借ＩＤ情報メモリ３１には、複数の貸借ＩＤについて、貸借ＩＤの借用元事業者コード、貸借ＩＤの加入者識別ＩＤ、貸借ＩＤの認証コードを登録し管理している。
【００３６】
事業者Ａが契約している事業者Ｂの貸借ＩＤの情報を事前にこのメモリ３１に保存しておくことにより、移動機３０は事業者Ａの無線通信サービスエリア外であっても事業者Ｂの無線通信サービスエリア内であれば貸借ＩＤを使用して通信を行うことが可能となる。貸借ＩＤは複数ユーザで共用するものであり、別ユーザによって使用中であれば、使用中ではない他の貸借ＩＤに切り替えて使用する。
【００３７】
＜ＨＬＲのメモリ構成＞
図８にＨＬＲ４１，５１の一実施形態のメモリ構成を示す。ＨＬＲには契約している全移動機について、各移動機固有の加入者識別ＩＤ、認証コード、その他のメールアドレス等の加入者情報、在圏ＶＬＲ番号が格納されている。ＨＬＲは移動機が位置登録を行うたびに各移動機が現在位置している在圏ＶＬＲの情報を更新することにより、各移動機の位置情報を管理している。
【００３８】
＜ＶＬＲのメモリ構成＞
図９にＶＬＲ４０，５０の一実施形態のメモリ構成を示す。ＶＬＲは配下の移動機の加入者情報を一時的に格納するための加入者情報格納エリアを複数備えている。移動機が配下から位置登録を行った場合に、ＨＬＲから加入者識別ＩＤ、認証コード、その他のメールアドレス等の加入者情報が転送されて格納される。また、現在配下に登録されている移動機が、別のＶＬＲ配下で位置登録を行うと、ＨＬＲからの指示により当該移動機の情報が格納された加入者情報格納エリアの情報は削除される。
【００３９】
＜移動機の構成＞
図１０に移動機３０の一実施形態のブロック図を示す。同図中、移動機は、アンテナ６１、無線通信部６２、メモリ部６３、制御部６４、音声処理部６５、マイクロホン６６、スピーカ６７、ディスプレイ６８、キー入力部６９を有している。メモリ部６３には、正規加入者識別ＩＤ、加入者情報、認証コード格納部３２に加えて、貸借ＩＤ情報メモリ３１を持つ。移動機は報知情報から現在どの事業者のサービスエリア内に位置しているかを認識し、正規識別ＩＤと貸借ＩＤを切り替え選択して使用する。
【００４０】
＜ローミング先での位置登録処理＞
図１１に事業者Ａに位置登録されている事業者Ａの契約移動機３０が事業者Ｂに位置登録する場合の位置登録処理の様子を示す。なお、以下の括弧付き番号は図中の括弧付き番号と対応する。
（１）移動機３０は報知情報をもとに事業者Ａの無線通信サービスエリア外に出たことを認識する。
（２）移動機３０は報知情報をもとに事業者Ｂの無線通信サービスエリア内であることを認識する。
（３）移動機３０は貸借ＩＤ情報メモリ３１に保持した貸借ＩＤから一つを選択し、事業者Ｂの在圏ＶＬＲ５０に正規加入者識別ＩＤを付与して位置登録要求を行う。
（４）事業者Ｂの在圏ＶＬＲ５０は事業者ＢのＨＬＲ５１に正規加入者識別ＩＤを付与して位置登録要求を行う。
（５）事業者ＢのＨＬＲ５１は貸与ＩＤ情報メモリ５２を参照して当該貸借ＩＤが使用中で無いことを確認する。なお、当該貸借ＩＤが使用中の場合には、移動機３０に別の貸借ＩＤを選択させリトライさせる。
（６）事業者ＢのＨＬＲ５１は貸借ＩＤの加入者情報を事業者Ｂの在圏ＶＬＲ５０に転送する。
（７）事業者Ｂの在圏ＶＬＲ５０は当該貸借ＩＤの加入者情報を保存し、移動機３０と当該貸借ＩＤの認証コードで認証処理を行う。
（８）事業者Ｂの在圏ＶＬＲ５０は事業者ＢのＨＬＲ５１に認証応答を行う。
（９）事業者ＢのＨＬＲ５１は在圏ＶＬＲ番号を保存する。
（１０）事業者ＢのＨＬＲ５１は貸与ＩＤ情報メモリ５２の当該貸借ＩＤ情報を移動機３０が使用中に更新する。
（１１）事業者ＢのＨＬＲ５１は事業者ＡのＨＬＲ４１にローミング情報登録要求を行う。
（１２）事業者ＡのＨＬＲ４１は借用ＩＤ情報メモリ４２の当該貸借ＩＤ情報を移動機３０が使用中に更新する。
（１３）事業者ＡのＨＬＲ４１は事業者ＢのＨＬＲ５１にローミング情報登録応答を行う。
（１４）事業者ＢのＨＬＲ５１は事業者Ｂの在圏ＶＬＲ５０に位置登録応答を行う。
（１５）事業者Ｂの在圏ＶＬＲ５０は移動機３０に位置登録応答を行う。
【００４１】
＜ローミング先でＶＬＲをまたぐ位置登録処理＞
図１２に事業者Ｂに位置登録されている移動機３０が事業者ＢのＶＬＲ５０，５３をまたぐ移動を行った場合の位置登録処理の様子を示す。なお、以下の括弧付き番号は図中の括弧付き番号と対応する。
（１）移動機３０は現在位置登録中の貸借ＩＤで事業者Ｂの在圏ＶＬＲ５３に正規加入者識別ＩＤを付与して位置登録要求を行う。
（２）事業者Ｂの在圏ＶＬＲ５３は事業者ＢのＨＬＲ５１に正規加入者識別ＩＤを付与して位置登録要求を行う。
（３）事業者ＢのＨＬＲ５１は貸与ＩＤ情報メモリ５２を参照して当該貸借ＩＤが移動機３０によって使用中であることを確認する。
（４）事業者ＢのＨＬＲ５１は元在圏ＶＬＲ５０から当該貸借ＩＤの加入者情報を削除する。
（５）事業者ＢのＨＬＲ５１は在圏ＶＬＲ５３に当該貸借ＩＤの加入者情報を転送する。
（６）事業者Ｂの在圏ＶＬＲ５３は当該貸借ＩＤの加入者情報を保存し、移動機３０と当該貸借ＩＤの認証コードで認証処理を行う。
（７）事業者Ｂの在圏ＶＬＲ５３は事業者ＢのＨＬＲ５１に認証応答を行う。
（８）事業者ＢのＨＬＲ５１は在圏ＶＬＲ番号を保存する。
（９）事業者ＢのＨＬＲ５１は貸与ＩＤ情報メモリ５２の当該貸借ＩＤ情報を移動機３０が使用中に更新する。
（１０）事業者ＢのＨＬＲ５１は事業者Ｂの在圏ＶＬＲ５３に位置登録応答を行う。
（１１）事業者Ｂの在圏ＶＬＲ５３は移動機３０に位置登録応答を行う。
【００４２】
＜ローミング先での発信処理＞
図１３に移動機３０が貸借ＩＤで事業者Ｂに位置登録されている場合の発信処理の様子を示す。なお、以下の括弧付き番号は図中の括弧付き番号と対応する。
（１）移動機３０は貸借ＩＤで事業者Ｂの在圏ＶＬＲ５０に正規加入者識別ＩＤを付与して発信要求を行う。
（２）事業者Ｂの在圏ＶＬＲ５０は貸借ＩＤの加入者情報が存在することを確認する。
（３）事業者Ｂの在圏ＶＬＲ５０は事業者ＢのＨＬＲ５１に正規加入者識別ＩＤを付与して発信要求を行う。
（４）事業者ＢのＨＬＲ５１は貸与ＩＤ情報メモリ５２を参照して当該貸借ＩＤを使用中なのが移動機３０であることを確認する。
（５）事業者ＢのＨＬＲ５１は事業者Ｂの在圏ＶＬＲ５０に認証要求を行う。
（６）事業者Ｂの在圏ＶＬＲ５０と移動機３０間で貸借ＩＤの認証コードを使用して認証処理を行う。
（７）事業者Ｂの在圏ＶＬＲ５０は事業者ＢのＨＬＲ５１に認証応答を行い、関門交換機を経由して通話相手との呼の接続処理を行う。
【００４３】
＜ローミング先での着信処理＞
図１４に移動機３０が貸借ＩＤで事業者Ｂに位置登録されている場合の着信処理の様子を示す。なお、以下の括弧付き番号は図中の括弧付き番号と対応する。
（１）事業者ＡのＨＬＲ４１は移動機３０への着信要求があった場合、移動機３０が事業者Ａに位置登録されていないことを確認する。
（２）事業者ＡのＨＬＲ４１は借用ＩＤ情報メモリ４２を参照して移動機３０が事業者Ｂに位置登録されていることを確認する。
（３）事業者ＡのＨＬＲ４１は借用ＩＤ情報メモリ４２を参照して着信情報に含まれる移動機３０の正規加入者識別ＩＤを移動機３０が使用中の貸借ＩＤに変換する。
（４）事業者ＡのＨＬＲ４１は借用ＩＤ情報メモリ４２を参照して事業者Ｂに着信要求を転送する。
（５）事業者ＢのＨＬＲ５１は上記着信要求を受けると当該貸借ＩＤの在圏ＶＬＲ番号を調べ、在圏ＶＬＲから移動機３０への着信処理を行う。
【００４４】
＜ローミングを解除する位置登録処理＞
図１５に移動機３０が事業者Ｂの無線通信サービスエリアから事業者Ａの無線通信サービスエリアに戻った場合の位置登録処理の様子を示す。なお、以下の括弧付き番号は図中の括弧付き番号と対応する。
（１）移動機３０は報知情報で契約先の事業者Ａの無線通信サービスエリア内に入ったことを認識する。
（２）移動機３０は事業者Ａの在圏ＶＬＲに対し正規加入者識別ＩＤで位置登録要求を行う。
（３）事業者Ａの在圏ＶＬＲ４０は移動機３０の加入者情報が無ければ事業者ＡのＨＬＲ４１に位置登録要求を行う。
（４）事業者ＡのＨＬＲ４１は移動機３０の加入者情報を在圏ＶＬＲ４０に転送する。
（５）事業者Ａの在圏ＶＬＲ４０は移動機３０の加入者情報を保存し、移動機３０と正規加入者識別ＩＤの認証コードによる認証処理を行う。
（６）事業者Ａの在圏ＶＬＲ４０は上記の認証手順後、事業者ＡのＨＬＲ４１に認証応答を行う。
（７）事業者ＡのＨＬＲ４１は移動機３０の在圏ＶＬＲ番号を保存する。
（８）事業者ＡのＨＬＲ４１は借用ＩＤ情報メモリ４２の移動機３０の情報を削除する。
（９）事業者ＡのＨＬＲ４１は事業者ＢのＨＬＲ５１にローミング情報削除要求を行う。
（１０）事業者ＢのＨＬＲ５１は貸与ＩＤ情報メモリの移動機３０の情報を削除する。
（１１）事業者ＢのＨＬＲ５１は事業者Ｂの元在圏ＶＬＲ５０の加入者情報を削除する。
（１２）事業者ＢのＨＬＲ５１は移動機３０が使用していた貸借ＩＤの在圏ＶＬＲ番号を削除する。
（１３）事業者ＢのＨＬＲ５１は事業者ＡのＨＬＲ４１にローミング情報削除応答を行う。
（１４）事業者ＡのＨＬＲ４１は事業者Ａの在圏ＶＬＲ４０に位置登録応答を行う。
（１５）事業者Ａの在圏ＶＬＲ４０は移動機３０に位置登録応答を行う。
【００４５】
＜位置登録解除処理＞
本発明方法では複数ユーザで貸借ＩＤを共用する。したがって、特定ユーザが特定の貸借ＩＤを使用し続けるのを避けるため、貸借ＩＤの位置登録情報を一定周期で解除して別ユーザに割り当てる機会を設ける必要がある。
【００４６】
図１６に移動機３０が事業者Ｂに位置登録されて一定時間が経過したときの位置登録解除処理の様子を示す。なお、以下の括弧付き番号は図中の括弧付き番号と対応する。
（１）事業者ＢのＨＬＲ５１は移動機３０が現在通信中でないかを確認する。
（２）移動機３０が現在通信中でない場合、事業者ＢのＨＬＲ５１は事業者Ｂの在圏ＶＬＲ５０の移動機３０の加入者情報を削除する。
（３）事業者ＢのＨＬＲ５１は貸与ＩＤ情報メモリ５２の移動機３０の情報を削除する。
（４）事業者ＢのＨＬＲ５１は事業者ＡのＨＬＲ４１にローミング情報削除要求を行う。
（５）事業者ＡのＨＬＲ４１は借用ＩＤ情報メモリ４２の移動機３０の情報を削除する。
（６）事業者ＡのＨＬＲ４１は事業者ＢのＨＬＲ５１にローミング情報削除応答を行う。
（７）事業者ＢのＨＬＲ５１は移動機３０が使用していた貸借ＩＤの在圏ＶＬＲ番号を削除する。
【００４７】
このように、加入者識別ＩＤと認証コードを貸借ＩＤとして通信事業者間で貸し借りすることで、貸借ＩＤを貸与した側の事業者は貸借ＩＤの貸与による新規加入者数の増加を見込むことができる。
【００４８】
一方、貸借ＩＤを借用した側の事業者は貸借ＩＤ貸与側事業者の無線通信サービスエリアのうち自無線通信サービスエリア外だけを、新規の設備投入無しに低コストで効率的に拡大することができる。
【００４９】
また、ローミング先での認証には移動機が貸借ＩＤとして保持しているローミング先事業者の加入者識別ＩＤと認証コードを使用するためＧＬＲを持つ必要がなくなり、低コストでのローミングサービスの実現につながる。また、ローミング先での認証には特定ユーザの加入者識別ＩＤおよび認証コードでの認証を行う必要が無いため、特定ユーザの情報漏洩などのセキュリティ上の問題を解決できる。
【００５０】
また、ユーザは貸借ＩＤを複数のユーザで共用するため、ユーザ一人当たりの金銭的負担が軽減され、低コストのローミングサービスによるサービスエリアの拡大を見込むことができる。
【００５１】
なお、借用ＩＤ情報メモリ４２が請求項記載の借用ＩＤ情報記憶手段に相当し、貸与ＩＤ情報メモリ５２が貸与ＩＤ情報記憶手段に相当し、貸借ＩＤ情報メモリ３１が貸借ＩＤ情報記憶手段に相当する。
（付記１）
移動機が契約事業者の無線通信サービスエリア外で他事業者の無線通信システムを使用して前記契約事業者の無線通信サービスエリア内と同様のサービスを受けるローミング方法であって、
前記契約事業者は前記他事業者から貸借ＩＤを借用し、
前記移動機は前記契約事業者における正規加入者識別ＩＤと前記貸借ＩＤを格納し、
前記移動機は前記契約事業者の無線通信サービスエリア内では前記正規加入者識別ＩＤを用いて前記契約事業者と通信を行い、前記他事業者の無線通信サービスエリア内では前記貸借ＩＤを用いて前記他事業者と通信を行うことを特徴とするローミング方法。
（付記２）
付記１記載のローミング方法において、
前記契約事業者は、移動機が使用中の貸借ＩＤと正規加入者識別ＩＤを対応させて記憶する借用ＩＤ情報記憶手段を有し、
前記他事業者は、移動機が使用中の貸借ＩＤと正規加入者識別ＩＤを対応させて記憶する貸与ＩＤ情報記憶手段を有し、
前記契約事業者と前記他事業者は、前記借用ＩＤ情報記憶手段と前記貸与ＩＤ情報記憶手段を同期して更新することを特徴とするローミング方法。
（付記３）
移動機が契約事業者の無線通信サービスエリア外で他事業者の無線通信システムを使用して前記契約事業者の無線通信サービスエリア内と同様のサービスを受けるローミング方法に用いる契約事業者の無線通信システムであって、
移動機が使用中の貸借ＩＤと正規加入者識別ＩＤを対応させて記憶する借用ＩＤ情報記憶手段を
有することを特徴とする契約事業者の無線通信システム。
（付記４）
移動機が契約事業者の無線通信サービスエリア外で他事業者の無線通信システムを使用して前記契約事業者の無線通信サービスエリア内と同様のサービスを受けるローミング方法に用いる他事業者の無線通信システムであって、
移動機が使用中の貸借ＩＤと正規加入者識別ＩＤを対応させて記憶する貸与ＩＤ情報記憶手段を
有することを特徴とする他事業者の無線通信システム。
（付記５）
移動機が契約事業者の無線通信サービスエリア外で他事業者の無線通信システムを使用して前記契約事業者の無線通信サービスエリア内と同様のサービスを受けるローミング方法に用いる移動機であって、
前記契約事業者における正規加入者識別ＩＤの他に、前記契約事業者が前記他事業者から借用した貸借ＩＤを格納する貸借ＩＤ情報記憶手段を
有することを特徴とする移動機。
（付記６）
付記１または２記載のローミング方法において、
前記貸借ＩＤは、前記他事業者における加入者識別ＩＤと認証コードを有し、
前記他事業者は、前記移動機が使用する貸借ＩＤの認証コードを用いて認証を行うことを特徴とするローミング方法。
（付記７）
付記２または６記載のローミング方法において、
一定周期で前記貸与ＩＤ情報記憶手段から前記移動機が使用中の貸借ＩＤと正規加入者識別ＩＤを削除すると共に、前記借用ＩＤ情報記憶手段から前記移動機が使用中の貸借ＩＤと正規加入者識別ＩＤを削除することを特徴とするローミング方法。
【図面の簡単な説明】
【００５２】
【図１】従来のローミング方法のローミング先での最初の位置登録の様子を示す図である。
【図２】従来のローミング方法のローミング先での網間移動による位置登録の様子を示す図である。
【図３】従来のローミング方法のローミング先でのユーザ認証の様子を示す図である。
【図４】本発明方法を用いた無線通信ネットワークの一実施形態の構成図である。
【図５】借用ＩＤ情報メモリの一実施形態の構成を示す図である。
【図６】貸与ＩＤ情報メモリの一実施形態の構成を示す図である。
【図７】貸与ＩＤ情報メモリの一実施形態の構成を示す図である。
【図８】ＨＬＲの一実施形態のメモリ構成を示す図である。
【図９】ＶＬＲの一実施形態のメモリ構成を示す図である。
【図１０】移動機の一実施形態のブロック図である。
【図１１】事業者Ａに位置登録されている事業者Ａの契約移動機が事業者Ｂに位置登録する場合の位置登録処理の様子を示す図である。
【図１２】事業者Ｂに位置登録されている移動機が事業者ＢのＶＬＲをまたぐ移動を行った場合の位置登録処理の様子を示す図である。
【図１３】移動機が貸借ＩＤで事業者Ｂに位置登録されている場合の発信処理の様子を示す図である。
【図１４】移動機が貸借ＩＤで事業者Ｂに位置登録されている場合の着信処理の様子を示す図である。
【図１５】移動機が事業者Ｂの無線通信サービスエリアから事業者Ａの無線通信サービスエリアに戻った場合の位置登録処理の様子を示す図である。
【図１６】移動機が事業者Ｂに位置登録されて一定時間が経過したときの位置登録解除処理の様子を示す図である。
【符号の説明】
【００５３】
３０  移動機
３１  貸借ＩＤ情報メモリ
３２  認証コード格納部
４０，５０  ＶＬＲ
４１，５１  ＨＬＲ
４２  借用ＩＤ情報メモリ
５２  貸与ＩＤ情報メモリ
６１  アンテナ
６２  無線通信部
６３  メモリ部
６４  制御部
６５  音声処理部
６６  マイクロホン
６７  スピーカ
６８  ディスプレイ
６９  キー入力部
【図１】
2006345343.tif 000003
【図２】
2006345343.tif 000004
【図３】
2006345343.tif 000005
【図４】
2006345343.tif 000006
【図５】
2006345343.tif 000007
【図６】
2006345343.tif 000008
【図７】
2006345343.tif 000009
【図８】
2006345343.tif 000010
【図９】
2006345343.tif 000011
【図１０】
2006345343.tif 000012
【図１１】
2006345343.tif 000013
【図１２】
2006345343.tif 000014
【図１３】
2006345343.tif 000015
【図１４】
2006345343.tif 000016
【図１５】
2006345343.tif 000017
【図１６】
2006345343.tif 000018